(57)【要約】【課題】  炊飯による熱の影響を受け易い蓋体に入力部を設けても、入力部の動作信頼性を向上し得る炊飯器を提供する。【解決手段】  内鍋２８を内部に収納し得る炊飯器本体１と、炊飯器本体１の開口部を開閉自在に閉塞する内蓋５４と、炊飯を制御する制御装置３８とを設ける。蓋体２に、炊飯操作などの操作情報を入力するための入力部１３を設ける。入力部１３は、操作ボタン７が形成された操作板１１と、操作板１１に取り付けられて空間（収納部）４を形成する底面カバー１９と、操作板１１と底面カバー１９により形成された空間（収納部）４に配置され、操作ボタン７が押圧された際に当該操作ボタン７の入力を感知する操作基板１８とから構成され、入力部１３が外蓋５１の外面に形成された穴部５２より操作板１１表面を外部に露出した状態で蓋体２に取り付ける。【選択図】          図１
2005323631.tif 000002
【特許請求の範囲】
【請求項１】
内鍋と、
上面に開口部が形成され、該開口部より前記内鍋を内部に収納し得る炊飯器本体と、
炊飯を制御する制御装置と、
外面に穴部が形成された外蓋と、前記内鍋に対向するように設けられた内蓋とから形成され、前記炊飯器本体に取付けられて前記炊飯器本体を開閉自在に閉塞する蓋体と、
炊飯操作などの操作情報を炊飯器に入力するための前記蓋体に設けられた入力部を備え、
前記入力部は、操作ボタンが形成された操作板と、前記操作板に取り付けられて空間を形成する底面カバーと、前記操作板と前記底面カバーにより形成された前記空間に配置され、前記操作ボタンが押圧された際に当該操作ボタンの入力を感知する操作基板とから構成され、
前記入力部が前記外蓋の外面に形成された前記穴部より前記操作板表面を外部に露出した状態で前記蓋体に取付けられたことを特徴とする炊飯器。
【請求項２】
前記操作板と前記底面カバーによって形成される前記空間が密閉された空間であることを特徴とする請求項１記載の炊飯器。
【請求項３】
前記入力部の操作板または底面カバーの一方に凹所を備え、前記操作板または底面カバーの他方から延出する側壁端部が弾性部材を介して凹所内に挿入されることによって、操作板と底面カバーにより密閉空間が形成されていると共に、前記操作基板に接続される配線を前記側壁端部と弾性部材にて挟持して固定したことを特徴とする請求項２に記載の炊飯器。
【請求項４】
前記入力部には、入力された情報や動作状況などを表示する表示装置が備えられ、前記表示装置が前記操作板と前記操作基板の間に配置されていることを特徴とする請求項２又は３のいずれかに記載の炊飯器。
【請求項５】
前記入力部には、前記制御装置が備えられていることを特徴とする請求項２乃至４のいずれかに記載の炊飯器。
【請求項６】
前記穴部の周囲に段差部を有し、前記入力部の外形は前記段差部より大きく形成し、且つ前記入力部は前記段差部に嵌合する嵌合部を有することを特徴とする請求項１乃至５のいずれかに記載の炊飯器。
【請求項７】
前記外蓋の穴部端部よりリブを設け、前記リブを前記操作板と底面カバーの間に挟み込んで前記蓋体に前記入力部が取付けられていることを特徴とする請求項１乃至６のいずれかに記載の炊飯器。
【発明の詳細な説明】
【技術分野】
【０００１】
本発明は、炊飯器本体の上面開口を開閉自在に閉塞する蓋体に、入力部を備えた炊飯器に関するものである。
【背景技術】
【０００２】
従来の炊飯器は、炊飯器本体内に設けられ、内鍋の下面に渦巻状に巻かれた誘導加熱コイルと、ヒンジ部に枢支されて炊飯器本体の上面開口に開閉自在に閉塞する蓋体とを備えている。この蓋体は合成樹脂にて構成され、表面には炊飯器の炊飯運転操作を行う操作ボタンを備えた操作パネル、及び、炊飯メニューや炊飯運転実行中の工程などの表示を行う液晶の表示装置が設けられている。
【０００３】
即ち、炊飯器の蓋体１０２には、図７に示すように炊飯その他の調理メニューを入力する入力部１１１を備え、この入力部１１１は、ポリエステルなどの薄板樹脂で構成され、スイッチ１３１を押圧操作する操作ボタン１０７が取り付けられたシート１１６と、このシート１１６の裏面に設けられた蓋カバー１１５などにより構成されている。該蓋カバー１１５には、表示装置１１０やスイッチ１３１及びマイコン或いはＩＣ等が取り付けられた操作基板１１８と、調理内容を表示する表示装置１１０用の窓部１５２などが設けられている。また、図８に示すように蓋体１０２に設けられた段差部１５３に蓋カバー１１５を嵌合すると共に、蓋カバー１１５に基板固定リブ１２５を設け、この基板固定リブ１２５に操作基板１１８を支持固定したものも存在した（特許文献１参照）。
【０００４】
【特許文献１】特開２０００−２３８３２号公報
【０００５】
前述の従来技術では蓋体１０２は、操作基板１１８を取り付けるため、蓋体１０２を凹陥させて、蓋体１０２と一体に収納部１０４を設けると共に、収納部１０４内に操作基板１１８を配設していた。この場合、蓋体１０２に一体に形成した収納部１０４周囲の縁に入力部１１１（蓋カバー１１５）を接着固定して、収納部１０４内に水及び水蒸気等が入ってしまうのを防止していた。これにより、蓋体１０２内部に発生し結露した水が操作基板１１８に取り付けられたスイッチ１３１やマイコン或いはＩＣ等の電気部品に影響を与えるのを防止していた。
【発明の開示】
【発明が解決しようとする課題】
【０００６】
従来の炊飯器は前述のように操作基板を収納する収納部を蓋体に一体に成形して、操作基板が結露水の影響を受けない構造としていた。しかし、蓋体は炊飯による熱の影響を受けやすいため炊飯時の熱や経時劣化などにより蓋体に変形が生じてしまう。蓋体に変形が生じると操作ボタンとスイッチとの隙間が変化したり、スイッチ１３１と操作ボタン１０７の位置がずれてしまったりしてしまう。このため、スイッチのストロークが大きすぎたり、或いは、スイッチが押圧されたままになったり、ボタン操作が受け付けられないようになってしまうなど操作スイッチの動作が不安定になってしまうという問題があった。
【０００７】
また、蓋体が変形すると入力部の接着固定にも影響を及ぼし、蓋カバーと入力部との間に隙間ができてしまうこともあった。このため、蓋カバーと入力部との隙間から水や水蒸気が収納部に侵入し、万一侵入してしまった場合、収納部内に配設されたスイッチやマイコン或いはＩＣ等の電気部品に悪影響を及ぼす可能性があるという問題もあった。
【０００８】
また、故障してしまった電気部品を交換する場合、入力部を外さなければ収納部内の操作基板や電気部品を容易に交換できないという問題があった。また、収納部周囲の縁に接着材にて入力部を固定していたため、入力部を外すときに、入力部や蓋体に割れやキズ等が付いてしまうことがあるという問題もあった。
【０００９】
本発明は、前記課題に鑑み為されたものであり、炊飯による熱の影響を受け易い蓋体に入力部を設けても、入力部の動作信頼性を向上し得る炊飯器を提供することを目的とする。
【課題を解決するための手段】
【００１０】
前記目的を達成するために、本発明にかかる炊飯器は、内鍋と、上面に開口部が形成され、該開口部より前記内鍋を内部に収納し得る炊飯器本体と、炊飯を制御する制御装置と、外面に穴部が形成された外蓋と、前記内鍋に対向するように設けられた内蓋とから形成され、前記炊飯器本体に取付けられて前記炊飯器本体を開閉自在に閉塞する蓋体と、炊飯操作などの操作情報を炊飯器に入力するための前記蓋体に設けられた入力部を備え、前記入力部は、操作ボタンが形成された操作板と、前記操作板に取り付けられて空間を形成する底面カバーと、前記操作板と前記底面カバーにより形成された前記空間に配置され、前記操作ボタンが押圧された際に当該操作ボタンの入力を感知する操作基板とから構成され、前記入力部が前記外蓋の外面に形成された前記穴部より前記操作板表面を外部に露出した状態で前記蓋体に取付けられたことを特徴とする。
【発明の効果】
【００１１】
本発明によれば、炊飯による熱の影響を受け易い蓋体に入力部を設けても、蓋体とは別体にて入力部を形成して蓋体に取付けられているので、入力部の動作の信頼性を向上することが可能となる。
【発明を実施するための最良の形態】
【００１２】
実施の形態１．
以下、本発明の一実施形態に基づき、本発明を詳しく説明する。図１は本発明の一実施形態における炊飯器本体の縦断側面図、図２は本発明の一実施形態における炊飯器を構成する蓋体の組み立て分解図、図３は本発明の一実施形態における炊飯器の蓋体部分の拡大図をそれぞれ示している。
【００１３】
本実施形態における炊飯器５０は、図１に示すように、内鍋２８の下面側に渦巻状に巻かれた誘導加熱コイル２９を備えた所謂ＩＨ炊飯器であり、この炊飯器５０は上面を開口した炊飯器本体１と、この上面開口を開閉自在に取り付けられた蓋体２及び炊飯器本体１の胴部１Ａ両側に渡って取り付けられたハンドル３などにより構成されている。
【００１４】
該蓋体２は、図２に示すように例えばステンレスなどの金属と樹脂（例えばＰＰ）によりインサート成形され、外面に穴部５２が形成された外蓋５１と、内鍋２８に対向するように設けられた内蓋５４とから構成されている。穴部５２には入力部１３が設けられており、この入力部１３の後方には炊飯時発生する蒸気を外部に放出するための蒸気口１２Ａが形成された蒸気カートリッジ１２が設けられると共に、その蒸気カートリッジ１２の後部には図１に示すように蓋体２を開閉可能に枢支している蓋ヒンジ１７が設けられている。
【００１５】
また、胴部１Ａ前面には押圧自在の係止ボタン６が設けられており、この係止ボタン６は炊飯器本体１の上面開口が蓋体２で閉塞された状態で蓋体２をロックする。即ち、炊飯器本体１の上面開口が蓋体２で閉じられた状態で係止ボタン６が押圧されると、蓋体２は蓋ヒンジ１７を支点にして回動して開き、閉じられると蓋体２は係止ボタン６にロックされ開かなくなる。
【００１６】
炊飯器本体１後部の蓋ヒンジ１７下方には、所定のスペースの後方空間部４２が形成されており、この後方空間部４２内には発熱する電気部品や放熱フィン２６Ａを備えた電源基板２６が設けられている。該後方空間部４２内には送風機３７が設けられており、この送風機３７が運転されると発熱する電気部品の熱は放熱フィン２６Ａを介して送風機３７が送風した空気と熱交換し、空気中に放出して発熱する電気部品を冷却し、高温による電気部品の動作不安定や破壊が発生するのを防止する。
【００１７】
図３に本実施形態における入力部１３の拡大断面図を示す。同図に示すように本実施形態における入力部１３は、操作ボタン７が設けられた操作板１１と、操作板１１の下方に設けられた底面カバー１９との間に操作基板１８や操作スイッチ３１などが設けられている。操作板１１は、例えばポリエステルなどの薄板樹脂で構成されたシート１６と、このシート１６の裏面に設けられたＡＢＳなどの異種材料からなる内カバー１４と、シート１６と内カバー１４との間に設けられ透明なアクリルなどの外カバー１５とがインサート成形された３重成形になっている。該内カバー１４には下面を開口するように略角筒状の周囲壁２０が一体に形成されている。
【００１８】
前記外蓋５１に形成した穴部５２周囲には、蓋体２表面より低い所定寸法凹んだ段差部５３が形成されており、操作板１１の周囲下側には蓋体２の段差部５３に嵌合する嵌合部５６が設けられている。この嵌合部５６は段差部５３内側に嵌合可能に構成されている。該操作板１１は、段差部５３に嵌合すると共に段差部５３に接着された両面粘着テープ５３Ａにて接着固定される。尚、両面粘着テープ５３Ａは内カバー１４側に貼っても差し支えない。
【００１９】
そして、段差部５３に操作板１１が接着固定された状態で、操作板１１の表面は、外蓋５１に形成した穴部５２より外部に露出している。本実施形態では、段差部５３に操作板１１が接着固定された状態で、操作板１１の表面は蓋体２（外蓋５１）表面より所定寸法突出している。尚、操作板１１の表面は蓋体２（外蓋５１）表面と略面一であっても差し支えない。
【００２０】
また、内カバー１４に形成した周囲壁２０は、所定寸法下方に延在しており、この周囲壁２０の下縁に前記底面カバー１９が取り付けられている。そして、周囲壁２０の下縁に前記底面カバー１９が取り付けられた状態で、操作板１１と底面カバー１９との間となる周囲壁２０の内側に空間を形成しており、この空間を収納部４としている。
【００２１】
また、内カバー１４には操作基板１８を位置決めするための位置決めリブ２４が複数立設されており、この位置決めリブ２４は操作基板１８の外周に位置して設けられている。該収納部４内には、前記操作ボタン７が押圧された際に当該操作ボタン７の押圧を感知する操作基板１８が配設されている。そして、操作基板１８は位置決めリブ２４に位置決めされ、内カバー１４に立設されたボス（図示せず）にビス２４Ａにて止め固定される。また本実施形態では、操作基板１８に汎用のマイクロコンピュータなどにて構成され炊飯器５０の炊飯動作及び後述する表示装置１０の表示を制御する制御装置３８が設けられている。
【００２２】
このように、本実施形態における炊飯器では、入力部１３が蓋体２とは別体で構成されているとともに、入力部１３内部に設けられた位置決めリブ２４によって操作板１１と底面カバー１９との間に操作基板１８を挟み込んで取り付けているので、蓋体２が炊飯時による熱の影響を受けて変形した場合でも、蓋体２の熱による変形の影響を受け難くすることができ、操作ボタン７と操作スイッチ３１、スイッチ３１Ａとの位置関係が保持され、入力操作の信頼性を向上させることができる。
【００２３】
操作基板１８には炊飯器５０の炊飯機能に応じて「炊飯」、「保温」、「予約」、「炊飯メニュー」、「時刻入力」、「取消」等の炊飯操作の操作情報を炊飯器に入力するスイッチ３１Ａが複数設けられており、スイッチ３１Ａに対応して前記操作スイッチ３１が取り付けられている。前記操作ボタン７は、この操作スイッチ３１に対応して設けられると共に、操作板１１を構成するシート１６は弾性変形可能に構成されて操作ボタン７部分が突出した半球形状に形成されている。これにより、シート１６上面から操作スイッチ３１を介してスイッチ３１Ａを容易に押圧操作できるように構成されている。
【００２４】
また、本実施形態における炊飯器では、操作基板１８に「炊飯メニュー」、「保温」、「予約」、「現在時刻」、「予約時刻」等の調理内容を表示するための液晶の表示装置１０が外カバー１５と操作基板１８との間に設けられており、この表示装置１０は操作ボタン７の押圧により入力された情報や動作状況などを表示する。前記外カバー１５に設けたシート１６は、表示装置１０に対応する部分が透明になっており、蓋体２上面からはこの透明部分を介して表示装置１０の表示を視認できるようになっている。
【００２５】
前記内カバー１４には周囲壁２０の外側に蓋体２（外蓋５１）に係合する複数の係合爪２１が設けられており、この係合爪２１は周囲壁２０の周囲に所定の間隔を存して設けられている。また、内カバー１４にはビス止め用のボス２２も複数設けられており、やはり周囲壁２０の周囲に互いに所定の間隔を存して設けられ、下方に向かって所定寸法延在している。つまり本実施形態では、複数のボス２２は複数の係合爪２１が設けられた部位以外の周囲壁２０周囲に設けられている。
【００２６】
また、底面カバー１９には周囲壁２０に対応して環状の溝１９Ａが設けられており、この溝１９Ａ内にはシリコンゴムなどの弾性材からなるパッキン２７が挿入される。該パッキン２７は、周囲壁２０端部及び底面カバー１９と密着し、これによって、収納部４は、内部に水や水蒸気の侵入を防止することができる密閉空間となっている。このように、収納部４の上面を操作板１１、収納部４の下面を、パッキン２７を介して底面カバー１９により閉塞することにより、収納部４を密閉して収納部４内に水や水蒸気などが侵入してしまうのをより確実に防止し得る。このような構成により、収納部４内に設けた表示装置１０や操作スイッチ３１などの電気部品に悪影響を与えないようにすることができる。
【００２７】
さらに、周囲壁２０周囲に設けられた複数のボス２２と穴部５２の内周縁との間には所定の隙間２３が設けられており、この隙間２３は、穴部５２内に入力部１３（内カバー１４のビス止め用のボス２２と周囲壁２０）を容易に装着できるように設けられている。そして、前記底面カバー１９は、ビス止め用のボス２２にビス２２Ａによって止め固定される。このように、穴部５２内に入力部１３を設けることにより、蓋体２と別体にて入力部１３を形成している。そして、この隙間２３は、炊飯時における蓋体２の熱による多少の変形を吸収することができ、より入力部１３に対する変形の影響を低減できる。
【００２８】
蓋体２は図２に示すように、外蓋５１の下側に、内蓋５４が取り付けられており、内蓋５４の下面には、内鍋２８周囲に密着する内鍋パッキン５７Ａが設けられた放熱板５７が内蓋５４に対して着脱自在に取り付け可能となっている。また、外蓋５１に形成された蒸気カートリッジ収納部５１Ａには蒸気カートリッジ１２が収納固定される。蒸気カートリッジ１２と入力部１３との間には外蓋５１に一体に熱遮断壁５１Ｂが設けられており、この熱遮断壁５１Ｂは、蒸気口１２Ａからの熱が収納部４内の電気部品に影響してしまうのを防止でき、また操作板１１に対しても熱の影響を防止できる。該蒸気カートリッジ１２の蒸気口１２Ａは、内蓋５４を貫通して内鍋２８内に連通している。
【００２９】
外蓋５１に対して入力部１３を取付ける際には、周囲壁２０に囲まれた操作板１１内に電気部品を取り付け、底面カバー１９で閉塞し、まず入力部１３を形成する。そして外蓋５１の穴部５２周囲の段差部５３に両面粘着テープ５３Ａを接着しておき、この状態で、外蓋５１に形成した穴部５２上方から入力部１３を挿入して穴部５２にはめ込まれた入力部１３の周囲（両面粘着テープ５３Ａ部分）を所定の圧力で押圧し段差部５３に接着固定する。このとき、係合爪２１を外蓋５１に係合させることで蓋体２を形成することができる。
【００３０】
あるいは外蓋５１に対する入力部１３の取付けは、外蓋５１の穴部５２周囲の段差部５３に両面粘着テープ５３Ａを接着しておき、操作板１１を穴部５２に挿入し、はめ込まれた操作板１１の周囲（両面粘着テープ５３Ａ部分）を所定の圧力で押圧し段差部５３に接着固定する。このとき、係合爪２１を外蓋５１に係合させる。この後、周囲壁２０に囲まれた操作板１１内に電気部品を取り付け、底面カバー１９で閉塞し、入力部１３を形成する方法であってもよい。
【００３１】
このように、本実施形態にかかる炊飯器５０は、内鍋２８と、上面に開口部が形成され、開口部より内鍋２８を内部に収納し得る炊飯器本体１と、炊飯を制御する制御装置３８と、外面に穴部５２が形成された外蓋５１と、内鍋２８に対向するように設けられた内蓋５４とから形成され、炊飯器本体１に取付けられて炊飯器本体１を開閉自在に閉塞する蓋体２と、炊飯操作などの操作情報を炊飯器５０に入力するための蓋体２に設けられた入力部１３を備え、入力部１３は、操作ボタン７が形成された操作板１１と、操作板１１に取り付けられて空間（収納部４）を形成する底面カバー１９と、操作板１１と底面カバー１９により形成された空間（収納部４）に配置され、操作ボタン７が押圧された際に当該操作ボタン７の入力を感知する操作基板１８とから構成され、入力部１３が外蓋５１の外面に形成された穴部５２より操作板１１表面を外部に露出した状態で蓋体２に取付けられたので、蓋体２と入力部１３を別部材にて形成されるため、炊飯器５０の炊飯時による熱の影響を受け易い蓋体２に入力部１３を設けて、蓋体２が熱膨張などにより変形してしまった場合でも、操作ボタン７、操作スイッチ３１、スイッチ３１Ａなどの配置状態が変化し難くすることができる。このように、入力部１３の動作の信頼性を向上でき、操作スイッチ３１の動作が不安定になってしまうなどの不都合も防止することができる。
【００３２】
つまり、従来のように熱の影響を受け易い蓋体２に入力部１３を設けた場合は、炊飯による熱で蓋体２が熱膨張などにより変形し、操作基板１８を収納した収納部４が変形してしまったり、これにより操作ボタン７と操作基板１８の配置状態などが変化し、操作ボタン７の入力の確実性が低下してしまうなどの不都合が想定されたが、本実施形態では蓋体２と入力部１３を別部材にて形成しているので、蓋体２が炊飯時の熱の影響を受けた場合などでも、熱の影響を極力受けにくくすることができる。
【００３３】
また、操作基板１８を収納した入力部１３の底部は底面カバー１９がネジ止めによって取り付けられているので、例え入力部１３に故障が発生した場合でも、底部の底面カバー１９を取り外すだけで操作基板１８の修理及び交換や入力部１３そのものの交換などを容易に行うことができ、メンテナンスが簡易となる。
【００３４】
また、本実施形態では収納部４の下端に設けたパッキン２７を底面カバー１９で挟むだけで収納部４の密閉空間を確保することができる。このような構成によれば、入力部１３の組み立て工数を低減させることができるようになる。さらに、このように操作板１１と底面カバー１９によって形成される空間（収納部４）が密閉された空間（収納部４）となっているので、収納部４内への水や水蒸気が侵入してしまうのを確実に防止することができる。つまり従来の炊飯器では蓋体の変形により隙間などが発生し、そこから水や水蒸気などが基板などが収納された空間内部に侵入してしまうことなども想定されるが、本発明によれば入力部１３の密閉空間（収納部４）内に操作基板１８を配置しているので、炊飯時の熱で蓋体２が変形し、蓋体２内部に水や水蒸気が侵入しても、入力部１３内部にこれらが入ることがなく、密閉空間（収納部４）内に設けた操作基板１８に水や水蒸気が付着することを阻止することができる。これにより、水分の侵入により操作基板１８に取り付けた電気部品に不具合が発生してしまうことなども防止することが可能となる。
【００３５】
また、入力部１３には、入力された情報や動作状況などを表示する表示装置１０が備えられ、表示装置１０が操作板１１と操作基板１８の間に配置されているので、操作板１１を取り外さなくても底面カバー１９を取り外すだけで操作基板１８の修理やメンテナンスを行うことが可能となる。従って、従来のように操作板１１を取り外して操作基板１８の修理やメンテナンスを行っていたのに対して、操作板１１が割れたり傷付いたりしてしまうのを防止することができ、これにより表示装置１０の表示を視認するのに、このような傷が邪魔になることもなくすことができる。また、本実施形態では密閉した収納部４内に表示装置１０を設けているので、表示装置１０が水蒸気などの影響を受けないような気密構造を別に設ける必要がなく、炊飯器５０のコンパクト化を図ることが出来る。さらに、表示装置１０を収納した収納部４を密閉して、収納部４への水分の侵入を阻止しているので、収納部４内が結露して、表示装置１０に表示した表示が見え難くなってしまう等の不都合も防止することができる。
【００３６】
また本実施形態では、入力部１３には、密閉した収納部４内に制御装置３８が備えられているので、制御装置３８が水蒸気などの影響を受けないような気密構造を別に設ける必要がなく、炊飯器５０のコンパクト化を図ることが出来る。
【００３７】
なお、本実施形態における外蓋５１は、ステンレスなどの金属で形成された金属部５８と金属部５８の縁にＰＰなどの樹脂で形成された樹脂部５９によって構成されている。このように蓋体２が金属と樹脂により構成されると、金属部５８と樹脂部５９の熱による膨張率が異なるため、金属と樹脂の接合部分で割れや剥離などが生じやすく、熱による強度や繰り返される炊飯により経時に対する強度が確保し難いという問題があった。しかし、本実施形態では入力部１３が別体にて構成されているため、外蓋５１に穴部５２を形成し、樹脂と金属のことなる熱膨張率による悪影響が出にくい程度の樹脂にて外蓋５１を形成することができるので、金属と樹脂により形成された蓋体２を構成する場合にも、蓋体２の熱による強度や、経時に対する強度を良好に保つことができるという効果も奏する。
【００３８】
実施の形態２．
本実施形態における炊飯器５０は、前述の実施形態と略同じ構成を有している。以下、異なる部分について説明する。尚、前述の実施の形態と同じ部分にはこれと同じ符号を付し、説明を省略する。図４に示すように本発明の他の一実施形態の炊飯器５０は、穴部５２の周囲に段差部５３を有し、入力部１３の外形、つまり操作板１１の外形は段差部５３より大きい鍔部４４が形成されている。また入力部１３は段差部５３に嵌合する嵌合部５６を操作板１１の下面に有している。そして操作板１１を段差部５３から鍔部４４が外蓋５１上に所定寸法延在させ、この鍔部４４を外蓋５１上に略密着させる構成としている。このような構成により、前述の実施の形態１に記載した効果に加えて、操作板１１の縁（鍔部４４）と段差部５３との間、つまり外蓋５１と操作板１１との間に隙間が発生することを良好に防止することができる。これにより、蓋体２表面の美観、ひいては炊飯器５０の外観のデザイン性を向上することが可能となる。また、隙間の発生が防げるので、その隙間に埃などがたまって不衛生になることも防止できる。
【００３９】
また、外蓋５１と操作板１１の密着性が向上するため、蓋体２内部に水や水蒸気が侵入すること、ひいては入力部１３内部に水や水蒸気が侵入することをいっそう確実に防止することができる。さらに炊飯時における蓋体２の熱による多少の変形により隙間２３の大きさが変化しても、外蓋５１と操作板１１との間に隙間が発生することを良好に防止することができる上、隙間２３により蓋体２の多少の変形を吸収することも可能である。
【００４０】
実施の形態３．
本実施形態における炊飯器５０は、前述の実施形態と略同じ構成を有している。以下、異なる部分について説明する。尚、前述の実施の形態と同じ部分にはこれと同じ符号を付し、説明を省略する。図５に示すように本発明の他の一実施形態の炊飯器５０は、外蓋５１に形成した段差部５３から下方に延在するリブ４６を設けると共に、このリブ４６を蒸気カートリッジ１２と反対側の穴部５２側に設けている。該リブ４６は、段差部５３からボス２２と略並行にボスの高さまで延在し、そこで折れ曲がって、ボス２２と底面カバー１９との間に延在している。
【００４１】
このように、外蓋５１の穴部５２端部よりリブ４６を設け、ビス止め用のボス２２と底面カバー１９との間、つまり操作板１１と底面カバー１９の間にリブ４６を挟持してビス２２Ａで共締めして蓋体５１に入力部１３が取付けられているので、前述の実施の形態１で記載した効果に加えて外蓋５１への入力部１３の取付け強度を向上させることができる。また、蓋体２が炊飯による熱の影響を受けて変形した場合でも、穴部５２の端部に設けられたリブ４６が、操作板１１と底面カバー１９の間に挟みこまれて入力部１３が取付けられているので、外蓋５１と操作板１１との間に隙間が発生することをより確実に防止することができる。これにより、蓋体２の美観を向上することができるようになると共に、蓋体２内部に水や水蒸気が侵入してしまうこと、ひいては入力部１３内に水や水蒸気が侵入してしまうのをより一層確実に防止することができる。
【００４２】
なお、本実施形態ではリブ４６を一つ設けた例をあげて説明したが、穴部５２の端部に複数のリブを設ける構成であれば、より確実な前述の効果を期待できる。
【００４３】
実施の形態４．
本実施形態における炊飯器５０は、前述の実施の形態と略同じ構成を有している。以下、異なる部分について説明する。尚、前述の実施の形態と同じ部分にはこれと同じ符号を付し、説明を省略する。図６に示すように本発明の他の一実施形態の炊飯器５０は、収納部４内に設けた操作基板１８にコネクタ３４Ａが配線接続されている。このコネクタ３４Ａには、フラットケーブル３４の一端が接続され、フラットケーブル３４の他端は電源基板２６に接続されている。
【００４４】
また、図６における右側の周囲壁２０は階段状に折曲され、その先端は溝１９Ａに至るまで延在している。これにより、溝１９Ａ内にパッキン２７が挿入された状態で周囲壁２０の先端が、所定の圧力でパッキン２７に当接するようになっている。そして、操作基板１８のコネクタ３４Ａに接続されたフラットケーブル３４は、パッキン２７と階段状に折れ曲がった周囲壁２０先端の間から密閉された収納部４の外に引き出され、端部が電源基板２６に接続される。また、図６における右側の周囲壁２０を階段状に折曲することにより、周囲壁２０にはパッキン２７側に押圧する方向に弾力性を持たせることができる構造となっている。これにより、パッキン２７と周囲壁２０との間にフラットケーブル３４を隙間無く挟み、収納部４内の密閉度が低下してしまうのを防止している。
【００４５】
このように、入力部１３の操作板１１または底面カバー１９の一方に溝１９Ａのような凹所を備え、操作板１１または底面カバー１９の他方から延出する周囲壁２０のような側壁端部がパッキン２７のような弾性部材を介して凹所内に挿入されることによって、操作板１１と底面カバー１９により収納部４のような密閉空間が形成されていると共に、操作基板１８に接続されるフラットケーブル３４のような配線を側壁端部と弾性部材にて挟持して固定すること、即ち本実施形態ではパッキン２７と周囲壁２０との間にフラットケーブル３４を挟むだけの簡易な構成で、操作基板１８に接続されたフラットケーブル３４を強固に固定することができるうえ、気密性を保ったままフラットケーブル３４を入力部１３外部に出すことが出来る。なお、周囲壁２０の階段状に折り曲げられた部位と底面カバー１９の間にシリコン等を塗布しても良い。このようにすれば気密性をより良好に向上することができる。
【００４６】
また、本実施形態のような構成によれば収納部４内に設けた操作基板１８や、収納部４内に表示装置１０や制御装置３８などが設けられている場合、これらの電気部品に不具合や故障が発生してしまっても、底面カバー１９を外すだけでそれら電気部品の修理や、メンテナンスを行うことができる。このように、簡易な構成で高い効果が得られるとともに修理や、メンテナンス及び製品製造時における組立作業時の作業工数を大幅に低減させることができ、便利である。
【００４７】
尚、本発明は本実施形態で開示したもののみに限られるものでなく、周囲壁２０を階段状に折り曲げず、内カバー１４から溝１９Ａ内のパッキン２７に直接当接させる直線状の周囲壁２０で配線を挟み込む構成であっても差し支えない。また、実施の形態４を前述の各実施の形態に適用しても同様の効果を得ることができるのは言うまでもない。
【００４８】
実施の形態５．
前述の各実施形態では内カバー１４と外カバー１５とをインサート成形により一体に成形して操作板１１を構成したが、操作板１１の要旨を逸脱しない範囲内で内カバー１４と外カバー１５とを別々に成形し、組み立てにより構成しても良いし、操作板１１を１つの材料にて成形しても良いのは言うまでもない。もちろん、本発明は、上記各実施形態のみに限定されるものではなく、この発明の範囲を逸脱することなく他の様々な変更を行っても本発明は有効である。
【００４９】
また、前述の各実施形態では段差部５３を蓋体２表面より低いもので構成したが、外蓋５１表面より高い段差部５３を設け、この段差部５３と嵌合する溝（図示せず）等を操作板１１の裏面に設ける構成であっても同様の効果が得られることは言うまでもない。
【図面の簡単な説明】
【００５０】
【図１】本発明の一実施形態における炊飯器の斜視図である。
【図２】本発明の一実施形態における蓋体の組み立て分解図である。
【図３】本発明の一実施形態における蓋体の縦断側面図である。
【図４】本発明の他の実施形態における蓋体の縦断側面図である。
【図５】本発明の他の実施形態における蓋体の縦断側面図である。
【図６】本発明の他の実施形態における蓋体の縦断側面図である。
【図７】従来の炊飯器に設けられた蓋体の縦断側面図である。
【図８】従来の炊飯器に設けられた蓋体の縦断側面図である。
【符号の説明】
【００５１】
１  炊飯器本体、１Ａ  胴部、２  蓋体、３  ハンドル、４  収納部、６  係止ボタン、７  操作ボタン、１０  表示装置、１１  操作板、１２  蒸気カートリッジ、１２Ａ  蒸気口、１３  入力部、１４  内カバー、１５  外カバー、１６  シート、１７  蓋ヒンジ、１８  操作基板、１９  底面カバー、１９Ａ  溝、２０  周囲壁、２１  係合爪、２２  ボス、２２Ａ  ビス、２３  隙間、２４  位置決めリブ、２４Ａ  ビス、２６  電源基板、２６Ａ  放熱フィン、２７  パッキン、２８  内鍋、２９  電磁誘導加熱コイル、３１  操作スイッチ、３１Ａ  スイッチ、３４  フラットケーブル、３４Ａ  コネクタ、３７  送風機、３８  制御装置、４２  後方空間部、４４  鍔部、４６  リブ、５０  炊飯器、５１  外蓋、５１Ａ  蒸気カートリッジ収納部、５１Ｂ  熱遮断壁、５２  穴部、５３  段差部、５３Ａ  両面粘着テープ、５４  内蓋、５６  嵌合部、５７  放熱板、５７Ａ  内鍋パッキン、５８  金属部、５９  樹脂部。
【図１】
2005323631.tif 000003
【図２】
2005323631.tif 000004
【図３】
2005323631.tif 000005
【図４】
2005323631.tif 000006
【図５】
2005323631.tif 000007
【図６】
2005323631.tif 000008
【図７】
2005323631.tif 000009
【図８】
2005323631.tif 000010